(57)【要約】【課題】地磁気センサー、および振動モーターを少なくとも備えた小型の電子機器を提供する。【解決手段】電子機器としての装着者情報測定装置１００は、地磁気センサーと、振動モーターと、を備え、前記地磁気センサー、および前記振動モーターは、前記地磁気センサーと前記振動モーターとの間の距離が１０ｍｍ以上、且つ４１ｍｍ×４１ｍｍ×１１ｍｍの範囲内に配置されている。【選択図】図３
2017026370.tif 000002
【特許請求の範囲】
【請求項１】
地磁気センサーと、
振動モーターと、を備え、
前記地磁気センサー、および前記振動モーターは、
前記地磁気センサーと前記振動モーターとの間の距離が１０ｍｍ以上、且つ４１ｍｍ×４１ｍｍ×１１ｍｍの範囲内に配置されていることを特徴とする電子機器。
【請求項２】
前記地磁気センサー、および前記振動モーターは、
前記地磁気センサーと前記振動モーターとの間の距離が２０ｍｍ以上、且つ前記４１ｍｍ×４１ｍｍ×１１ｍｍの範囲内に配置されていることを特徴とする請求項１に記載の電子機器。
【請求項３】
電池の端子が接続された電池基板をさらに備え、
前記電池基板は、
前記地磁気センサーとの間の距離が５ｍｍ以上、且つ前記４１ｍｍ×４１ｍｍ×１１ｍｍの範囲内に配置されていることを特徴とする請求項１または請求項２に記載の電子機器。
【請求項４】
前記電池基板は、
前記地磁気センサーとの間の距離が１０ｍｍ以上、且つ前記４１ｍｍ×４１ｍｍ×１１ｍｍの範囲内に配置されていることを特徴とする請求項３に記載の電子機器。
【請求項５】
ＤＣＤＣコンバーターをさらに備え、
前記ＤＣＤＣコンバーターは、
前記地磁気センサーとの間の距離が５ｍｍ以上、且つ前記４１ｍｍ×４１ｍｍ×１１ｍｍの範囲内に配置されていることを特徴とする請求項１ないし請求項４のいずれか一項に記載の電子機器。
【請求項６】
前記ＤＣＤＣコンバーターは、
前記地磁気センサーとの間の距離が１０ｍｍ以上、且つ前記４１ｍｍ×４１ｍｍ×１１ｍｍの範囲内に配置されていることを特徴とする請求項５に記載の電子機器。
【請求項７】
前記地磁気センサー、前記電池基板、前記ＤＣＤＣコンバーター、および前記振動モーターが接続された基板をさらに備え、
前記基板の実装面を前記実装面と垂直な方向から平面視したとき、前記基板の中心を通り前記実装面に沿う方向の仮想線に対して、前記電池基板、前記ＤＣＤＣコンバーター、および前記振動モーターと、前記地磁気センサーとが反対側の領域に配置されていることを特徴とする請求項５または請求項６に記載の電子機器。
【請求項８】
通信アンテナをさらに備え、
前記通信アンテナは、前記仮想線によって設けられた領域のうちの、前記地磁気センサーと同じ側の領域に配置されていることを特徴とする請求項７に記載の電子機器。
【請求項９】
ＧＰＳアンテナをさらに備え、
前記ＧＰＳアンテナは、前記仮想線によって設けられた領域のうちの、前記地磁気センサーと同じ側の領域に配置されていることを特徴とする請求項７または請求項８に記載の電子機器。
【請求項１０】
加速度センサーをさらに備え、
前記加速度センサーは、
前記地磁気センサーの検出軸方向に対して、前記加速度センサーの検出軸方向が沿うように配置されていることを特徴とする請求項１ないし請求項９のいずれか一項に記載の電子機器。
【発明の詳細な説明】
【技術分野】
【０００１】
本発明は、地磁気センサーを一例とするセンサーデバイスを備えた電子機器に関する。
【背景技術】
【０００２】
従来、磁気を検出する磁気センサーや地磁気センサーを備えた電子機器が知られている。例えば特許文献１には、磁気ノイズの発生源となるモーターと、紙幣の磁気特性を検出する磁気センサーとを備えた紙幣識別装置が開示されている。このような磁気センサーを備えた紙幣識別装置では、モーターから生じる磁気ノイズを磁気センサーの検出精度に影響させないため、モーターと磁気センサーとの間に所定の距離を確保するとともに、モーターと磁気センサーとの間に、非磁気センサーである第１光学センサー受光部や第１光学センサー発光部が配置されている。
【０００３】
このような構成の電子機器では、モーターと磁気センサーとが所定の距離だけ離間して配置され、さらにモーターと磁気センサーとの間に配置された第１光学センサー受光部や第１光学センサー発光部が、磁気ノイズの遮蔽部として機能することにより、磁気センサーに対する磁気ノイズの影響を減少させている。
【先行技術文献】
【特許文献】
【０００４】
【特許文献１】特開２０１０−１４６１６２号公報
【発明の概要】
【発明が解決しようとする課題】
【０００５】
しかしながら、上述の紙幣識別装置においては、モーターと磁気センサーとの離間距離に関する具体的な数値記載（提示）は無く、例えば腕時計程度の大きさのリスト機器のような限られたサイズの電子機器、即ち小型の電子機器に適用する場合の好適な配置が求められていた。
【課題を解決するための手段】
【０００６】
本発明は、上述の課題の少なくとも一部を解決するためになされたものであり、磁気ノイズの影響を受ける虞のある地磁気センサー、および磁気ノイズの発生源となり得る部品を備えているとともに、例えばリスト機器などのようにケース（筐体）の大きさに制約のある小型の電子機器を、以下の形態または適用例として実現することが可能である。
【０００７】
［適用例１］本適用例に係る電子機器は、地磁気センサーと、振動モーターと、を備え、前記地磁気センサー、および前記振動モーターは、前記地磁気センサーと前記振動モーターとの間の距離が１０ｍｍ以上、且つ４１ｍｍ×４１ｍｍ×１１ｍｍの範囲内に配置されていることを特徴とする。
【０００８】
本適用例によれば、地磁気センサーに対する振動モーターの磁気の影響を減少させることができる。これにより、例えば腕時計程度の大きさのリスト機器のような限られたサイズに構成された小型の電子機器であっても、地磁気センサーへの磁気ノイズの影響を抑制することができ、安定した地磁気の検出が可能となる。なお、地磁気センサーと、磁気ノイズの生じる虞のある振動モーターとは、その間の距離が離れれば離れるほど（長くなればなるほど）地磁気センサーの測定に対する磁気ノイズの影響を受け難くなる。一方、地磁気センサーと振動モーターとの距離は、離れれば離れるほど実装平面（以下では実装面とも言う）の面積の大きさが増してしまう。これは、該実装平面に直交する方向においても同様であり、距離を離しすぎると、例えばリスト装着型や携帯型のような小型の機器には不適となる。これに対し、地磁気センサーと振動モーターとを、本適用例のような範囲内に配置することにより例えばリスト装着型や携帯型などのような小型の電子機器を実現することができる。このように、本適用例の構成によれば、地磁気センサー、および磁気ノイズの発生源となり得る振動モーターを備えていても、磁気ノイズの影響を地磁気センサーに与えることの無い小型の電子機器を実現することが可能となる。
【０００９】
なお、本明細書における各構成要素間の距離とは、配置された各構成要素（例えば、地磁気センサーや振動モーター）を、各構成要素の配置された実装平面と直交する方向から見た（平面視）ときの距離、換言すれば２次元の距離とする。具体的には、磁気ノイズを発生させる構成要素（例えば、振動モーターなどの構成部品）の外縁と地磁気センサーの外縁との間の距離のうち、最短となる間隔（距離）のことを言う。
【００１０】
［適用例２］上記適用例に記載の電子機器において、前記地磁気センサー、および前記振動モーターは、前記地磁気センサーと前記振動モーターとの間の距離が２０ｍｍ以上、且つ前記４１ｍｍ×４１ｍｍ×１１ｍｍの範囲内に配置されていることが好ましい。
【００１１】
本適用例によれば、地磁気センサーに対する振動モーターの磁気によって生じる磁気ノイズの影響をさらに抑制することができる。これにより、さらに安定した地磁気の測定が可能な電子機器を得ることができる。
【００１２】
［適用例３］上記適用例に記載の電子機器において、電池の端子が接続された電池基板をさらに備え、前記電池基板は、前記地磁気センサーとの間の距離が５ｍｍ以上、且つ前記４１ｍｍ×４１ｍｍ×１１ｍｍの範囲内に配置されていることが好ましい。
【００１３】
本適用例によれば、電池の端子が接続された電池基板から生じる磁気ノイズを、地磁気センサーに対して影響させ難くすることができる。これにより、振動モーターおよび電池基板（電池）の搭載された、例えば腕時計程度の大きさのリスト機器であっても地磁気センサーへの磁気ノイズの影響を抑制することができ、所望の機能を実現可能な小型の電子機器を得ることができる。
【００１４】
［適用例４］上記適用例に記載の電子機器において、前記電池基板は、前記地磁気センサーとの間の距離が１０ｍｍ以上、且つ前記４１ｍｍ×４１ｍｍ×１１ｍｍの範囲内に配置されていることが好ましい。
【００１５】
本適用例によれば、地磁気センサーに対する電池の端子の接続された電池基板から生じる磁気ノイズの影響をさらに抑制することができる。これにより、さらに安定した地磁気の計測を行うことが可能な電子機器を得ることができる。
【００１６】
［適用例５］上記適用例に記載の電子機器において、ＤＣＤＣコンバーターをさらに備え、前記ＤＣＤＣコンバーターは、前記地磁気センサーとの間の距離が５ｍｍ以上、且つ前記４１ｍｍ×４１ｍｍ×１１ｍｍの範囲内に配置されていることが好ましい。
【００１７】
本適用例によれば、地磁気センサーに対するＤＣＤＣコンバーターから生じる磁気ノイズを、地磁気センサーに対して影響させ難くすることができる。これにより、振動モーター、電池基板（電池）、およびＤＣＤＣコンバーターの搭載された、例えば腕時計程度の大きさのリスト機器であっても、地磁気センサーへの磁気ノイズの影響を抑制することができ、所望の機能を実現可能な小型の電子機器を得ることができる。
【００１８】
［適用例６］上記適用例に記載の電子機器において、前記ＤＣＤＣコンバーターは、前記地磁気センサーとの間の距離が１０ｍｍ以上、且つ前記４１ｍｍ×４１ｍｍ×１１ｍｍの範囲内に配置されていることが好ましい。
【００１９】
本適用例によれば、地磁気センサーに対するＤＣＤＣコンバーターから生じる磁気ノイズの影響をさらに抑制することができる。これにより、さらに安定した地磁気の計測を行うことが可能な電子機器を得ることができる。
【００２０】
上述した適用例では、地磁気センサーと、振動モーター、電池基板、およびＤＣＤＣコンバーターなどの磁気ノイズの生じる虞のある構成部品との距離は、離れれば離れるほど（長くなればなるほど）地磁気センサーの測定に対する磁気ノイズの影響は少なくなる。一方、地磁気センサーと振動モーター、電池基板、およびＤＣＤＣコンバーターなどの磁気ノイズの生じる虞のある構成部品との距離は、離れれば離れるほど実装平面の面積が増してしまう。これは、該実装平面に直交する方向（厚さ方向）においても同様であり、距離を離しすぎると、例えばリスト装着型や携帯型の小型の機器には不適となる。これに対し、地磁気センサーと振動モーター、電池基板、およびＤＣＤＣコンバーターなどの磁気ノイズの生じる虞のある構成部品との距離を、上記適用例のように、４１ｍｍ×４１ｍｍ×１１ｍｍの範囲内に配置することにより、例えばリスト装着型や携帯型などのような小型の電子機器を実現することができる。
【００２１】
［適用例７］上記適用例に記載の電子機器において、前記地磁気センサー、前記電池基板、前記ＤＣＤＣコンバーター、および前記振動モーターが接続された基板をさらに備え、前記基板の実装面を前記実装面と垂直な方向から平面視したとき、前記基板の中心を通り前記実装面に沿う方向の仮想線に対して、前記電池基板、前記ＤＣＤＣコンバーター、および前記振動モーターと、前記地磁気センサーとが反対側の領域に配置されていることが好ましい。
【００２２】
本適用例によれば、実装面に少なくとも地磁気センサーが実装され、さらに電池基板、ＤＣＤＣコンバーター、および振動モーターが接続された基板の実装面を平面視したときに、地磁気センサーの配置された領域と、他の電池基板、ＤＣＤＣコンバーター、および振動モーターの配置された領域と、を離間して配置することができる。このように、地磁気の測定に対して影響する磁気ノイズを生じる虞のある構成部品を一つの基板に配置する場合に、地磁気センサーとの間隔を大きくすることにより、地磁気センサーに対する磁気ノイズの影響を抑制しつつ、且つ構成部品の配置レイアウトを効率的に行うことができ、電子機器の小型化に寄与することができる。
【００２３】
［適用例８］上記適用例に記載の電子機器において、通信アンテナをさらに備え、前記通信アンテナは、前記仮想線によって設けられた領域のうちの、前記地磁気センサーと同じ側の領域に配置されていることが好ましい。
【００２４】
本適用例によれば、通信アンテナと地磁気センサーとが、上記仮想線によって設けられた同じ側の領域に配置されている。地磁気センサーや通信アンテナは、例えば金属板などに影響され易い性質を有しており、これらを同じ領域に配置することにより、地磁気センサーや通信アンテナへ他の部材が与える影響を考慮した配置設計を効率的に行うことが可能となる。
【００２５】
［適用例９］上記適用例に記載の電子機器において、ＧＰＳアンテナをさらに備え、前記ＧＰＳアンテナは、前記仮想線によって設けられた領域のうちの、前記地磁気センサーと同じ側の領域に配置されていることが好ましい。
【００２６】
本適用例によれば、ＧＰＳアンテナと地磁気センサーとが、上記仮想線によって設けられた同じ側の領域に配置されている。地磁気センサーやＧＰＳアンテナは、例えば金属板などに影響され易い性質を有しており、これらを同じ領域に配置することにより、地磁気センサーや通信アンテナへ他の部材が与える影響を考慮した配置設計を効率的に行うことが可能となる。
【００２７】
［適用例１０］上記適用例に記載の電子機器において、加速度センサーをさらに備え、前記加速度センサーは、前記地磁気センサーの検出軸方向に対して、前記加速度センサーの検出軸方向が沿うように配置されていることが好ましい。
【００２８】
本適用例によれば、加速度の検出軸方向と地磁気の検出軸方向とが略同じになるため、例えば、加速度の方向や地磁気の方向に関する検出データの処理を、軸方向が大きく異なる場合と比較して、より容易に行うことが可能となる。
【図面の簡単な説明】
【００２９】
【図１】本発明の電子機器の実施形態に係る装着者情報測定装置の概略を示す斜視図。
【図２】装着者情報測定装置の断面を示し、図１のｆ−Ｆにおける断面図。
【図３】装着者情報測定装置に備えられた構成部品の配置を示す平面図。
【図４】構成部品のうちの地磁気センサーに対する他の構成部品の磁力の影響を説明する平面図。
【図５】地磁気センサーと電池基板との距離による磁気の影響の有無を示すグラフ。
【図６】地磁気センサーと振動モーターとの距離による磁気の影響の有無を示すグラフ。
【図７】地磁気センサーとＤＣＤＣコンバーターとの距離による磁気の影響の有無を示すグラフ。
【図８】装着者情報測定装置の概略構成を示すブロック図。
【発明を実施するための形態】
【００３０】
以下、本発明の電子機器の実施形態に係るウェアラブル型の装着者情報測定装置について、添付図面等を参照しながら詳細に説明する。なお、添付図面において、各部の寸法および縮尺は、実際のものと適宜に異ならせてある。また、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００３１】
先ず、図１および図２を参照して、本発明の電子機器の実施形態に係るウェアラブル型の装着者情報測定装置について説明する。図１は、本発明の電子機器の実施形態に係る装着者情報測定装置の概略を示す斜視図である。図２は、装着者情報測定装置の断面を示し、図１のｆ−Ｆにおける断面図である。なお、図１および図２では、説明の便宜上、それぞれ直交する３軸をＸ軸、Ｙ軸、Ｚ軸として示し、ユーザー（装着者）への装着方向をＺ軸方向としている。
【００３２】
図１に示すように、ウェアラブル型の装着者情報測定装置１００は、ユーザー（装着者）の所与の部位（例えば、手首）に装着され、ユーザー（装着者）の位置情報や運動情報などを検出する。装着者情報測定装置１００は、ユーザーに装着されて位置情報や運動情報などを検出する機器本体１０と、機器本体１０に取り付けられ機器本体１０をユーザーに装着するためのバンド部１５と、を有する。なお、装着者情報測定装置１００には、ユーザー（装着者）の位置情報や運動情報に加えて、例えば脈波情報などの生体情報を検出する機能や時刻情報などを取得する機能を設けてもよい。
【００３３】
機器本体１０は、ユーザーへの装着側にボトムケース１３が配置され、ユーザーへの装着側と反対側には、トップケース１１が配置されている。機器本体１０のトップ側（トップケース１１）には、ベゼル１８が設けられるとともに、このベゼル１８の内側に配置されて内部構造を保護する天板部分（外壁）としてのガラス板１９が設けられている。機器本体１０は、ガラス板１９を介して、ガラス板１９の直下に設けられる液晶ディスプレイ（ＬＣＤ３４）等の表示部の表示をユーザーが閲覧可能な構成としてもよい。つまり本実施形態の装着者情報測定装置１００では、検出した位置情報や運動情報、或いは時刻情報等の種々の情報を表示部としてのＬＣＤ３４によって表示し、当該表示を機器本体１０のトップ側からユーザーに提示するものであってもよい。また、装着者情報測定装置１００では、検出した位置情報や運動情報、或いは時刻情報等の種々の情報を、例えば後述する振動モーターによって発生させた振動によって伝達するものであってもよい。また、ボトムケース１３の両側（Ｙ軸方向）には、バンド部１５との接続部である一対のバンド装着部１７が設けられている。
【００３４】
なお、ここでは機器本体１０の天板部分をガラス板１９により実現する例を示したが、ＬＣＤ３４を閲覧可能な透明部材であり、ＬＣＤ３４などのトップケース１１とボトムケース１３の内部（図２に示す内部空間１６）に含まれる構成を保護可能な程度の強度を有する部材であれば、透明のプラスチック等、ガラス以外の材料により天板部分を構成することが可能である。また、ベゼル１８が設けられた構成例を示したが、ベゼル１８の設けられていない構成であってもよい。
【００３５】
次に、図２を参照して、装着者情報測定装置１００のうちの機器本体１０の断面構造の例を説明する。
【００３６】
図２に示すように、機器本体１０には、トップケース１１とボトムケース１３とガラス板１９とに囲まれた内部空間１６が設けられている。そして、この内部空間１６に、基板としての回路基板１２、回路基板１２に接続されたＧＰＳ（Global Positioning System）アンテナ６４、地磁気センサー５５、振動モーター２０、電池としての二次電池７０の端子が接続された電池基板７２、ＤＣＤＣコンバーター（直流−直流変換器）８０やＭＣＵ１１０（図３参照）を構成する第１の回路部品１０２、第２の回路部品１０４（図３参照）などの電子部品、および液晶ディスプレイ（ＬＣＤ３４）などが配置されている。ただし、装着者情報測定装置１００（機器本体１０）の構成は図１に示す構成に限定されず、他の構成を追加したり、一部の構成を省略したりすることが可能である。例えば、他の情報処理機器（図示せず）との通信を行う通信用のアンテナ４３を含む通信部４０（図８参照）、もしくは加速度センサー（移動情報の測定用）６６（図８参照）や気圧センサー（高度測定用）５０（図８参照）などを追加したり、ＧＰＳアンテナ６４（図３参照）を省略したりしてもよい。
【００３７】
液晶ディスプレイ（ＬＣＤ３４）では、各モードに応じて、例えば、ＧＰＳや地磁気センサー５５を用いた位置情報、移動量や運動量などの運動情報、脈拍数などの生体情報、もしくは現在時刻などの時刻情報などが表示される。そして、この表示は、ガラス板１９を介してユーザーが閲覧（視認）することができる。
【００３８】
回路基板１２には、一方の面（２つの面のうち、相対的にＬＣＤ３４に近い側の実装面）に、ＧＰＳアンテナ６４、地磁気センサー５５、振動モーター２０、ＤＣＤＣコンバーター８０などの電子部品、および液晶ディスプレイ（ＬＣＤ３４）の接続部などが実装され、反対側となる他方の面（２つの面のうち、相対的にＬＣＤ３４から遠い側の実装面）に、二次電池７０の端子が接続された電池基板７２が実装されている。なお、回路基板１２には、ガラス繊維入りのエポキシ樹脂系の基板などが用いられ、両面に銅箔などからなる配線パターンが形成されている。
【００３９】
以下、図３〜図７も併せて参照しながら、それぞれの構成部品およびその配置について説明する。なお、図３は、回路基板１２の実装面を平面視したときの、装着者情報測定装置１００に備えられた構成部品の配置を示す平面図である。図４は、地磁気センサーに対する他の構成部品の磁力の影響を説明する平面図である。なお、図３および図４では、図１および図２と同様方向として、それぞれ直交する３軸をＸ軸、Ｙ軸、Ｚ軸として示している。また、図５は、地磁気センサーと電池基板との距離による磁気の影響の有無を示すグラフであり、図６は、地磁気センサーと振動モーターとの距離による磁気の影響の有無を示すグラフであり、図７は、地磁気センサーとＤＣＤＣコンバーターとの距離による磁気の影響の有無を示すグラフである。なお、図５〜図７において示された数値範囲は、波形（〜）の左側の値以上、波形（〜）の右側の値未満であることを意味する。例えば、「５ｍｍ〜１０ｍｍ」は「５ｍｍ以上１０ｍｍ未満」である。
【００４０】
ＧＰＳアンテナ６４は、ＧＰＳ衛星（図示せず）からの電波（無線信号）を受信する。受信されたＧＰＳ衛星からの電波（無線信号）は、演算回路（図示せず）にて演算され、装着者の位置情報や時刻情報としてＬＣＤ３４に表示（報知）される。
【００４１】
地磁気センサー５５は、地磁気における磁界の向きを計測することができる。そして、地磁気センサー５５で計測された計測結果は、演算回路にて演算され、装着者に係る方位情報（位置情報の一つ）としてＬＣＤ３４に表示（報知）される。なお、地磁気センサー５５は、磁界の乱れた場所（例えば、コイルや磁性金属などの磁性体が含まれ、磁気ノイズを発生させる電子部品や構成要素の周辺など）や磁気ノイズの生じ易い場所では、磁界の乱れや磁気ノイズの影響を受け、正確な方位測定が困難になる。発明者らは、本構成例の電子部品や構成要素について、それぞれの生じている磁気ノイズと地磁気センサー５５に対する影響度とを検証し、電池基板７２、振動モーター２０、およびＤＣＤＣコンバーター８０とが、地磁気センサー５５に対して影響を与える虞があることを見出した。そして、電池基板７２、振動モーター２０、およびＤＣＤＣコンバーター８０と、地磁気センサー５５との配置に対して対応が必要であることを見出した。これらの電子部品や構成要素の配置については、後述にて図４、および図５〜図７も併せて参照しながら詳細について説明する。
【００４２】
二次電池７０は、充電可能な電池（例えばリチウム二次電池）であり、両極の端子が電池基板７２に接続され、例えばＤＣＤＣコンバーター８０などを含む電源を制御する回路へ電源を供給する。電源は、この回路で所定の電圧に変換されるなどして各回路へ供給され、位置情報を検出する回路、ＬＣＤ３４を駆動する回路、各回路を制御する回路などを動作させる。なお、ここでは電池として二次電池７０を用いる例を説明したが、電池には、充電が不要な一次電池を用いてもよい。
【００４３】
二次電池７０の端子が接続された電池基板７２は、地磁気センサー５５に対して影響のある磁気ノイズを生じており、図４に示すように、電池基板７２を中心として所定の距離を有する領域７２ａの範囲内では、地磁気センサー５５の測定に影響を生じる。具体的には、図５の表に示すように、電池基板７２からの距離Ｌ２（図４参照）が５ｍｍ未満の範囲では、地磁気センサー５５に対して影響の出る磁気ノイズが発生しており、電池基板７２からの距離Ｌ２が５ｍｍ以上になると軽微な影響はあるが地磁気センサー５５の測定には殆んど影響が出ないレベルになる。したがって、電池基板７２からの距離Ｌ２が５ｍｍ以上の位置に地磁気センサー５５を配置することが好ましい。そして、さらに好ましくは、電池基板７２からの距離Ｌ２を１０ｍｍ以上とする。このように、距離Ｌ２を１０ｍｍ以上とすることにより、地磁気センサー５５の測定には殆んど影響が出ない磁気ノイズのレベルになる。
【００４４】
このような検証結果より、本形態では、図３および図４に示すように、電池基板７２と地磁気センサー５５との間の最短の距離である距離Ｌ２を、１０ｍｍ以上として電池基板７２と地磁気センサー５５とを配置している。
【００４５】
振動モーター２０は、何らかの通知を振動動作によってユーザーに行うものであり、ＬＣＤ３４とは異なるユーザーインターフェイスとして利用可能である。図４および図６に示すように、振動モーター２０は、磁気ノイズの影響範囲が広く、図４に示すように、振動モーター２０を中心として所定の距離を有する領域２０ａの範囲内では、地磁気センサー５５の測定に影響を生じる。具体的には、図６の表に示すように、振動モーター２０からの距離Ｌ１（図４参照）が１０ｍｍ未満の範囲では、地磁気センサー５５に対して影響の出る磁気ノイズが発生しており、振動モーター２０からの距離Ｌ１が１０ｍｍ以上になると軽微な影響はあるが地磁気センサー５５の測定には殆んど影響が出ないレベルになる。したがって、振動モーター２０からの距離Ｌ１が１０ｍｍ以上の位置に地磁気センサー５５を配置することが好ましい。そして、さらに好ましくは、振動モーター２０からの距離Ｌ１を２０ｍｍ以上とする。このように、距離Ｌ１を２０ｍｍ以上とすることにより、地磁気センサー５５の測定には殆んど影響が出ない磁気ノイズのレベルになる。
【００４６】
このような検証結果より、本形態では、図３および図４に示すように、振動モーター２０と地磁気センサー５５との間の最短の距離である距離Ｌ１を、２０ｍｍ以上として振動モーター２０と地磁気センサー５５とを配置している。
【００４７】
第１のＤＣＤＣコンバーター素子８０ｂ、第２のＤＣＤＣコンバーター素子８０ｃ、および第３のＤＣＤＣコンバーター素子８０ｄを含み構成されるＤＣＤＣコンバーター８０は、二次電池７０から供給される電源の電圧を降圧し、対応する回路素子に供給することができる。ＤＣＤＣコンバーター８０は、地磁気センサー５５に対して影響のある磁気ノイズを生じており、図４に示すように、ＤＣＤＣコンバーター８０を中心として所定の距離を有する領域８０ａの範囲内では、地磁気センサー５５の測定に影響を生じる。具体的には、図７の表に示すように、ＤＣＤＣコンバーター８０からの距離Ｌ３（図４参照）が５ｍｍ未満の範囲では、地磁気センサー５５に対して影響の出る磁気ノイズが発生しており、ＤＣＤＣコンバーター８０からの距離Ｌ３が５ｍｍ以上になると軽微な影響はあるが地磁気センサー５５の測定には殆んど影響が出ないレベルになる。したがって、ＤＣＤＣコンバーター８０からの距離Ｌ３が５ｍｍ以上の位置に地磁気センサー５５を配置することが好ましい。そして、さらに好ましくは、ＤＣＤＣコンバーター８０からの距離Ｌ３を１０ｍｍ以上とする。このように、距離Ｌ３を１０ｍｍ以上とすることにより、地磁気センサー５５の測定には殆んど影響が出ない磁気ノイズのレベルになる。
【００４８】
このような検証結果より、本形態では、図３および図４に示すように、ＤＣＤＣコンバーター８０と地磁気センサー５５との間の最短の距離である距離Ｌ３を、１０ｍｍ以上としてＤＣＤＣコンバーター８０と地磁気センサー５５とを配置している。
【００４９】
また、磁気ノイズを生じる電池基板７２、振動モーター２０、およびＤＣＤＣコンバーター８０と、地磁気センサー５５と、が、回路基板１２の実装面に対向する方向（図中Ｚ軸方向）から見た平面視で回路基板１２の中心Ｇを通り該実装面に沿う方向の仮想線ＣＬ３に対して、反対側の領域に配置されていることが好ましい。
【００５０】
このような配置により、実装面を平面視したときに、地磁気センサー５５の配置された領域と、他の電池基板７２、振動モーター２０、およびＤＣＤＣコンバーター８０の配置された領域とが離間して配置されることになる。このように、地磁気センサー５５の測定に対して影響する磁気ノイズを生じる虞のある構成部品を仮想線ＣＬ３で区分された一つの領域にまとめて配置するとともに、地磁気センサー５５との間隔を大きくとることにより、地磁気センサー５５に対する磁気ノイズの影響を抑制しつつ、且つ構成部品の配置レイアウトを効率的に行うことができ、装着者情報測定装置１００（機器本体１０）の小型化を実現することができる。
【００５１】
なお、上述した回路基板１２の中心Ｇは、Ｘ軸方向に回路基板１２を等分割するＹ軸に沿った中心線ＣＬ１と、回路基板１２のＸ軸方向の両側端部に設けられた凹部２５，２６をＹ軸方向に等分割し、Ｘ軸に沿った中心線ＣＬ２との交点としているが、中心Ｇの位置は必ずしも本構成でなくてもよく、回路基板１２のＸ−Ｙ平面における概ね中央部に設定してもよい。
【００５２】
なお、地磁気センサー５５と、電池基板７２、振動モーター２０、およびＤＣＤＣコンバーター８０とのそれぞれの距離Ｌ１，Ｌ２，Ｌ３は、離れれば離れるほど（長くなればなるほど）地磁気センサー５５の測定に対する磁気ノイズの影響を受け難くなる。一方、それぞれの距離Ｌ１，Ｌ２，Ｌ３は、離れれば離れるほど（長くなればなるほど）回路基板の実装面（Ｘ軸−Ｙ軸方向の平面）の大きさが増す。また、回路基板の実装面（Ｘ軸−Ｙ軸方向の平面）と直交するＺ軸方向においても同様であり、例えばリスト装着型や携帯型の小型の機器には不向きとなる。したがって、地磁気センサー５５、電池基板７２、振動モーター２０、およびＤＣＤＣコンバーター８０を含む構成部品を、縦Ｑｙ×横Ｑｘ×高さＱｚ＝４１ｍｍ×４１ｍｍ×１１ｍｍの範囲内に配置することにより、例えばリスト装着型や携帯型などのような小型の装着者情報測定装置１００（機器本体１０）に用いることが可能なサイズを実現することができる。
【００５３】
なお、地磁気センサー５５、電池基板７２、振動モーター２０、およびＤＣＤＣコンバーター８０を含む構成部品を、縦Ｑｙ×横Ｑｘ×高さＱｚ＝３５ｍｍ×３５ｍｍ×１０ｍｍの範囲内に配置することが、さらに好ましい。このような範囲内に構成部品を配置することにより、さらに小型（軽量）の装着者情報測定装置１００（機器本体１０）を実現することができ、例えば気圧センサー（高度センサー）などを実装した登山者向けの構成とした場合でも、登山時の過酷な使用環境において装着に係る違和感を和らげることが可能となる。
【００５４】
また、さらに好ましくは、地磁気センサー５５、電池基板７２、振動モーター２０、およびＤＣＤＣコンバーター８０を含む構成部品を、縦Ｑｙ×横Ｑｘ×高さＱｚ＝３０ｍｍ×３０ｍｍ×８ｍｍの範囲内に配置する。このような範囲内に構成部品を配置することにより、さらに小型（軽量）の装着者情報測定装置１００（機器本体１０）を実現することができ、さらに装着性を高めることが可能となる。このような、さらに小型（軽量）の装着者情報測定装置１００は、例えば運動解析など過酷な（強い）運動を行なうユーザーなどにも好適に適用することができる。
【００５５】
また、回路基板１２には、装着者情報測定装置１００の動作を制御する第１の回路部品１０２や第２の回路部品１０４などを含むＭＣＵ（Micro Controller Unit）１１０が実装されていてもよい。
【００５６】
また、回路基板１２には、通信部４０を構成するデータ通信用のアンテナ（通信アンテナ）４３が接続されていてもよい。データ通信用のアンテナ４３が設けられていれば、演算処理された位置情報や生体情報などを、機器本体１０以外の装置との間でデータの送受信を行うことができる。換言すれば、例えば装着者情報測定装置１００の機器本体１０と別体で設けられるＬＣＤ３４（表示部）などに位置情報や生体情報などを表示したり報知したりすることができる。これにより、装着者情報測定装置１００と別体で設けられるＬＣＤ３４（表示部）とを少なくとも含む装着者情報測定システムを提供することが可能となる。
【００５７】
なお、データ通信用のアンテナ（通信アンテナ）４３、およびＧＰＳアンテナ６４は、回路基板１２の実装面に対向する方向（図中Ｚ軸方向）から見た平面視で回路基板１２の中心Ｇを通り該実装面に沿う方向の仮想線ＣＬ３によって二つに分割された仮想領域のうち、地磁気センサー５５が配置されている一方の領域に配置されていることが好ましい。
【００５８】
地磁気センサー５５や通信用のアンテナ（通信アンテナ）４３およびＧＰＳアンテナ６４は、例えば金属板などに影響され易い性質を有しており、これらを同じ領域に配置することにより、これらを収納するケース（トップケース１１やボトムケース１３）などの筐体を補強したり外観性を向上させたりする金属製の補強板や化粧板（例えばベゼル１８）などに対する配置レイアウトの自由度が増し、配置の効率化によってさらなる小型化を実現することが可能となる。
【００５９】
また、回路基板１２には、加速度センサー６６（図８参照）が接続されていてもよい。加速度センサー６６（図８参照）は、直交する３軸方向に検出軸が向くように配置されることが好ましい。このように、加速度センサー６６を設けることにより、装着者の移動方向や移動量を計測することができる。その場合、加速度センサー６６は、地磁気センサー５５の検出軸方向に対して、少なくとも一軸の検出軸方向が沿うように配置されていることが好ましい。
【００６０】
このように、地磁気センサー５５、および加速度センサー６６の検出軸を略同じ方向とすることにより、地磁気センサー５５、および加速度センサー６６の配置に係るスペース効率を高めることができる。また、加速度の検出方向と地磁気の検出方向とが略同じになるため、加速度の方向（移動方向）と地磁気の方向との関連性、例えば細密な移動実績の把握や運動量に係る演算処理をより簡便に行うことが可能となる。
【００６１】
さらに、回路基板１２には、気圧センサー（図示せず）が接続されていてもよい。気圧センサーは、気圧データを取得することができる。そして、気圧センサーが取得した気圧データに基づいて、装着者情報測定装置１００は、ユーザー（装着者）の居る場所（現在位置）の高度（標高）情報を提供することができる。このように、気圧センサーを接続した装着者情報測定装置１００は、ユーザー（装着者）の居る場所の高度情報（標高情報）を提示できることから、例えば登山者向けやハイカー向けに好適な装置として提供することができる。
【００６２】
次に、装着者情報測定装置１００の構成について、図８を参照して説明する。図８は、装着者情報測定装置１００の構成の一例を示すブロック図である。装着者情報測定装置１００は、ＭＣＵ（Micro Controller Unit）１１０を備えている。ＭＣＵ１１０は、コンピュータシステムを集積回路にまとめた組み込み用のマイクロプロセッサーであり、装着者情報測定装置１００の動作を制御する。また、ＭＣＵ１１０は、例えば地磁気センサー５５などの各種センサーが計測し、取得したデータの演算回路（図示せず）を含むことができる。
【００６３】
ＭＣＵ１１０は、少なくともＧＰＳ通信部６０および表示制御部３０を含んで構成されている。ＧＰＳ通信部６０は、衛星信号の受信、ＧＰＳ衛星の捕捉、位置情報の生成、時刻修正情報の生成等の処理を行う。また、表示制御部３０は、位置情報や時刻情報、もしくは生体情報などの保持および修正等の処理を行なうとともに、表示制御部３０を制御する。
【００６４】
具体的には、ＭＣＵ１１０は、ＧＰＳ通信部６０を制御し、少なくともＧＰＳアンテナ６４が受信した信号から衛星信号を抽出する処理を実行する。また、ＭＣＵ１１０は、表示制御部３０を制御し、駆動回路３２を介して表示制御部３０を制御する。ＧＰＳアンテナ６４は、複数のＧＰＳ衛星からの衛星信号を受信する。ただし、ＧＰＳアンテナ６４は、衛星信号以外の不要な電波も若干受信してしまう場合があるため、ＳＡＷフィルター６２は、ＧＰＳアンテナ６４が受信した信号から衛星信号を抽出する処理を行う。すなわち、ＳＡＷフィルター６２は、所定の周波数帯の信号を通過させるバンドパスフィルターとして構成される。ＭＣＵ１１０は、バラン６３を介して、ＧＰＳアンテナ６４に給電する。本実施形態では、ＧＰＳアンテナ６４への給電は平衡給電である。
【００６５】
また、ＧＰＳ通信部６０は、図示しないＲＦ（Radio Frequency：無線周波数）部およびベースバンド部を含んで構成されている。ＧＰＳ通信部６０は、ＳＡＷフィルター６２が抽出した所定の周波数帯（例えば１．５ＧＨｚ帯）のアナログの衛星信号を中間周波数帯の信号にダウンコンバートし、Ａ/Ｄ変換器（Analogue-to-Digital Converter）によってデジタル信号に変換し、搬送波の除去等を行って、航法メッセージを復調し、航法メッセージに含まれる軌道情報やＧＰＳ時刻情報等を取得する処理を行う。取得した軌道情報等を用いた位置算出処理は、ＭＣＵ１１０が行っても良いし、ＧＰＳ通信部６０が行っても良い。なお、ＧＰＳの衛星信号の処理及び位置算出処理は公知であるので詳細な説明を省略する。
【００６６】
また、ＭＣＵ１１０は、充電制御回路７６やＳＶＤ回路７３を用いて二次電池７０を充電する処理を制御し、例えばＤＣＤＣコンバーター素子８０ｂ，８０ｃ，８０ｄやＬＤＯ７４，７５などの電子部品に電源を供給する。充電制御回路７６は、例えばＵＳＢ端子などの外部端子７１と接続されたとき、外部電源と接続され二次電池７０を充電することができる。
【００６７】
また、ＭＣＵ１１０は、キー１４と接続されている。キー１４は、測定モードや表示モードなどのモード切り替えなどを外部から行う入力部として機能する。本構成では、５つの操作ボタン（５ｋｅｙ）を有している。
【００６８】
また、ＭＣＵ１１０は、気圧センサー５０、地磁気センサー５５、温度センサー６５、および加速度センサー６６などのセンサーを備えている。以下、各センサーについて説明する。
【００６９】
気圧センサー５０は、気圧データを取得してＭＣＵ１１０に送信する。ＭＣＵ１１０は、送られた気圧データに基づいて、装着者の居る場所の高度（標高）を算出し、例えば表示部としてのＬＣＤ３４から高度（標高）情報として提示することができる。
【００７０】
地磁気センサー５５は、地磁気における磁界の向きを計測した地磁気データを取得し、ＭＣＵ１１０に送信する。ＭＣＵ１１０は、送られた地磁気データに基づいて演算処理を行い、装着者の居る場所における方位情報（位置情報）として、例えば表示部としてのＬＣＤ３４から位置情報として提示することができる。
【００７１】
加速度センサー６６は、装着者の移動量と方向に係るデータを取得し、ＭＣＵ１１０に送信する。ＭＣＵ１１０は、加速度センサー６６から送信されたデータを処理し、装着者の移動量データを算出する。そして、ＭＣＵ１１０は、この移動量データと上記高度（標高）情報やＧＰＳ情報などとを組み合わせて用いることにより、装着者の運動量（移動量）や消費カロリーなどを求めることができ、その結果を例えば表示部としてのＬＣＤ３４から提示することができる。
【００７２】
温度センサー６５は、装着者の周囲における温度情報を取得し、ＭＣＵ１１０に送信する。ＭＣＵ１１０は、送られた温度情報に基づき、各電子部品の温度補償処理や消費カロリー演算などを行なうことができる。
【００７３】
また、ＭＣＵ１１０は、報知部９０を用いて、振動により装着者に情報を伝達する手段として振動モーター２０を備えている。ＭＣＵ１１０は、報知部９０を制御し、振動モーター２０を駆動させた振動により、検出した位置情報や生体情報、或いは時刻情報等の種々の情報を振動（バイブレーション）によって報知することができる。なお、ＭＣＵ１１０は、表示制御部３０によるＬＣＤ３４の画像表示と併せて、この振動モーター２０による位置情報や生体情報、或いは時刻情報等の種々の情報を報知したり、表示部としてのＬＣＤ３４もしくは振動モーター２０のいずれかを用いて報知したりすることができる。
【００７４】
また、ＭＣＵ１１０は、通信部４０を備えている。通信部４０は、例えばＢｌｕｅｔｏｏｔｈ（登録商標）などの通信手段であり、他の情報処理機器（図示せず）との通信を行う通信用のアンテナ４３やフラッシュメモリー４７を備えている。通信部４０は、通信用のアンテナ４３を介し、各種センサーによって得られた位置情報や生体情報、或いは時刻情報等の種々の情報を他の情報処理機器に送信して表示するなどの提示を行うことができる。ＭＣＵ１１０は、バラン４２を介して通信用のアンテナ４３に給電する。なお、フラッシュメモリー４７には、例えば装着者の移動量データや、装着者の運動量（移動量）や消費カロリーなどを記憶することができる。
【００７５】
このように、通信用のアンテナ４３などを含む通信部４０を備えていることにより、別体として設けられる他の情報処理機器（例えば、携帯型情報端末装置や携帯電話など）に、装着者の位置情報や時刻情報、運動情報、もしくは生体情報などを表示したり報知したりすることができる。
【００７６】
上述した電子機器としての装着者情報測定装置１００によれば、地磁気センサー５５に対する磁気ノイズの影響がある振動モーター２０、電池基板７２、およびＤＣＤＣコンバーター８０と地磁気センサー５５との配置関係を設定することにより、地磁気センサー５５に対する磁気ノイズの影響を小さくすることができる。これにより、例えば腕時計程度の大きさのリスト機器のような限られたサイズに構成された小型の電子機器であっても、地磁気センサー５５への磁気ノイズの影響を抑制することができ、安定した地磁気の検出が可能となる。これにより、少なくとも地磁気センサー５５や磁気ノイズの発生源となり得る電子部品（例えば、振動モーター２０、電池基板７２、およびＤＣＤＣコンバーター８０）を備えた小型の電子機器（装着者情報測定装置１００）を実現することが可能となる。
【００７７】
また、回路基板１２の実装面を平面視したときに、回路基板１２の中心Ｇを通り該実装面に沿う方向の仮想線ＣＬ３に対して、電池基板７２、ＤＣＤＣコンバーター８０、および振動モーター２０と、地磁気センサー５５とが反対側の領域に配置されている。これにより、地磁気センサー５５の配置された領域と、他の電池基板７２、ＤＣＤＣコンバーター８０、および振動モーター２０の配置された領域とが離間して配置される。このように、地磁気の測定に対して影響する磁気ノイズを生じる虞のある構成部品をまとめて配置することにより、地磁気センサー５５に対する磁気ノイズの影響を抑制しつつ、且つ構成部品の配置レイアウトを効率的に行うことができ、機器本体１０の小型化を図ることができる。
【００７８】
なお、表示部としてのＬＣＤ３４や報知部９０として振動による報知を行なう振動モーター２０は、装着者情報測定装置１００の機器本体１０に配置されず、例えば携帯型情報端末装置や携帯電話機などの携帯型の情報機器に配置され、機器本体から無線通信、もしくは有線通信などによっての情報データを受信して、画像もしくは振動などを用いて提示もしくは報知することも可能である。
【符号の説明】
【００７９】
１０…機器本体、１１…トップケース、１２…基板としての回路基板、１３…ボトムケース、１４…キー、１５…バンド部、１６…内部空間、１７…バンド装着部、１８…ベゼル、１９…ガラス板、２０…振動モーター、３０…表示制御部、３２…駆動部、３４…表示部としてのＬＣＤ、４０…通信部、４０…通信部、４２…バラン、４３…アンテナ、４７…フラッシュメモリー、５０…気圧センサー、５５…地磁気センサー、６０…ＧＰＳ通信部、６２…ＳＡＷフィルター、６３…バラン、６４…ＧＰＳアンテナ、６５…温度センサー、６６…加速度センサー、７０…電池としての二次電池、７１…外部端子、７２…電池基板、７３…ＳＶＤ回路、７６…充電制御回路、８０…ＤＣＤＣコンバーター、９０…報知部、１００…電子機器としての装着者情報測定装置、１１０…ＭＣＵ。
【図１】
2017026370.tif 000003
【図２】
2017026370.tif 000004
【図３】
2017026370.tif 000005
【図４】
2017026370.tif 000006
【図５】
2017026370.tif 000007
【図６】
2017026370.tif 000008
【図７】
2017026370.tif 000009
【図８】
2017026370.tif 000010